(57)【要約】【課題】検索条件の項目数が多くても検索作業が煩雑とはならないデータ検索システムを提供する。【解決手段】利用者により設定される検索条件に基づいてデータベースに記録されたデータから所望のデータを検索するデータ検索システムであって、検索項目別に検索条件を記載させるための複数の項目別記載欄のうち、検索の際に使用されるべき１個以上の項目別記載欄を示す記載欄情報を保持している検索インデックス記録部１１、管理データ記録部１３と、記載欄情報により示される１個以上の項目別記載欄を表示し、当該記載欄情報により示されない項目別記載欄を表示しない検索項目取得部２３、記載欄表示指示部２４、記載欄表示部４３を備える。【選択図】　図２
2004046296.tif 000002
【特許請求の範囲】
【請求項１】
利用者により設定される検索条件に基づいて、データベースに記録されたデータから、所望のデータを検索するデータ検索装置であって、
検索項目別に検索条件を記載させるための複数の項目別記載欄のうち、検索の際に使用されるべき１個以上の項目別記載欄を示す記載欄情報を保持している記載欄情報保持手段と、
前記記載欄情報保持手段により保持されている記載欄情報により示される１個以上の項目別記載欄を表示し、当該記載欄情報により示されない項目別記載欄を表示しない記載欄表示手段と
を備えることを特徴とするデータ検索装置。
【請求項２】
当該データ検索装置は、さらに、
利用者による所望の検索項目の指定を受付ける検索項目受付け手段と、
前記検索項目受付け手段により受付けられた検索項目を記載するために使用されるべき項目別記載欄を示す記載欄情報を、前記記載欄情報保持手段に登録する登録手段とを備えること
を特徴とする請求項１に記載のデータ検索装置。
【請求項３】
前記記載欄情報保持手段は、不揮発性の記録媒体であり、
前記記載欄表示手段は、
前記登録手段により前記記載欄情報保持手段に前記記載欄情報が登録された以後であって、当該記載欄情報が変らずに保持され続けている間に、前記利用者により検索がなされる際には、当該記載欄情報により示される項目別記載欄を表示し、当該記載欄情報により示されない項目別記載欄を表示しないこと
を特徴とする請求項２に記載のデータ検索装置。
【請求項４】
当該データ検索装置は、さらに、
検索項目の一覧を表示する検索項目表示手段と、
前記検索項目表示手段により表示された検索項目の一覧の中から、利用者による所望の検索項目の選択を受付ける検索項目受付け手段と、
前記検索項目受付け手段において利用者による選択を受付けた時には、当該選択に基づいて、前記記載欄情報保持手段により保持されている記載欄情報を更新する更新手段とを備えること
を特徴とする請求項１に記載のデータ検索装置。
【請求項５】
前記記載欄表示手段は、
前記検索項目受付け手段において利用者による選択を受付けた時には、遅滞なく表示を更新すること
を特徴とする請求項４に記載のデータ検索装置。
【請求項６】
当該データ検索装置は、さらに、
検索項目を系統毎に分類した系統名の一覧を表示する系統名表示手段と、
前記系統名表示手段により表示された系統名の一覧の中から、利用者による所望の系統名の選択を受付ける系統名受付け手段と、
前記系統名受付け手段において利用者による選択を受付けた時には、当該選択された系統名に分類された検索項目の一覧を表示する検索項目表示手段と、
前記検索項目表示手段により表示された検索項目の一覧の中から、利用者による所望の検索項目の選択を受付ける検索項目受付け手段と、
前記検索項目受付け手段において利用者による選択を受付けた時には、当該選択に基づいて、前記記載欄情報保持手段により保持されている記載欄情報を更新する更新手段とを備えること
を特徴とする請求項１に記載のデータ検索装置。
【請求項７】
前記記載欄表示手段は、
前記検索項目受付け手段において利用者による選択を受付けた時には、遅滞なく表示を更新すること
を特徴とする請求項６に記載のデータ検索装置。
【請求項８】
前記記載欄情報保持手段は、
利用者ＩＤ毎に、記載欄情報を保持し、
当該データ検索装置は、さらに、
検索を始める前に、利用者から利用者ＩＤの入力を受付けるＩＤ受付け手段を備え、
前記記載欄表示手段は、
前記ＩＤ受付け手段により受付けられた利用者ＩＤに対応する記載欄情報により示される項目別記載欄を表示すること
を特徴とする請求項１に記載のデータ検索装置。
【請求項９】
前記記載欄情報保持手段は、
利用目的毎に、記載欄情報を保持し、
当該データ検索装置は、さらに、
検索を始める前に、利用者から利用目的の入力を受付ける利用目的受付け手段を備え、
前記記載欄表示手段は、
前記利用目的受付け手段により受付けられた利用目的に対応する記載欄情報により示される項目別記載欄を表示すること
を特徴とする請求項１に記載のデータ検索装置。
【請求項１０】
当該データ検索装置は、特許公報を検索するものであり、
前記利用目的には、特許に関する各種手続きに対応するものが含まれ、
前記利用目的受付け手段は、
前記利用目的の入力を受付けるに際して、当該利用目的の一覧を前記各種手続の順序に準じて表示する利用目的表示手段と、
前記利用目的表示手段により表示された利用目的の一覧の中から、利用者による所望の利用目的の選択を受付ける利用目的受付け手段を含むこと
を特徴とする請求項９に記載のデータ検索装置。
【請求項１１】
前記記載欄情報保持手段は、
利用者ＩＤ毎、且つ、利用目的毎に、記載欄情報を保持し、
当該データ検索装置は、さらに、
検索を始める前に、利用者から、利用者ＩＤ、及び、利用目的の入力を受付ける利用目的ＩＤ受付け手段を備え、
前記記載欄表示手段は、
前記利用目的ＩＤ受付け手段により受付けられた利用者ＩＤ、及び、利用目的に対応する記載欄情報により示される項目別記載欄を表示すること
を特徴とする請求項１に記載のデータ検索装置。
【請求項１２】
当該データ検索装置は、特許公報を検索するものであり、
前記利用目的には、特許に関する各種手続きに対応するものが含まれ、
前記利用目的ＩＤ受付け手段は、
前記利用目的の入力を受付けるに際して、当該利用目的の一覧を前記各種手続の順序に準じて表示する利用目的表示手段と、
前記利用目的表示手段により表示された利用目的の一覧の中から、利用者による所望の利用目的の選択を受付ける利用目的受付け手段を含むこと
を特徴とする請求項１１に記載のデータ検索装置。
【請求項１３】
利用者により設定される検索条件に基づいて、データベースに記録されたデータから、所望のデータを検索するデータ検索方法であって、
検索項目別に検索条件を記載させるための複数の項目別記載欄のうち、検索の際に使用されるべき１個以上の項目別記載欄を示す記載欄情報を保持している記載欄情報保持ステップと、
前記記載欄情報保持ステップにより保持された記載欄情報により示される１個以上の項目別記載欄を表示し、当該記載欄情報により示されない項目別記載欄を表示しない記載欄表示ステップと
を含むことを特徴とするデータ検索方法。
【請求項１４】
利用者により設定される検索条件に基づいて、データベースに記録されたデータから、所望のデータを検索するデータ検索プログラムであって、
コンピュータに、
検索項目別に検索条件を記載させるための複数の項目別記載欄のうち、検索の際に使用されるべき１個以上の項目別記載欄を示す記載欄情報を保持している記載欄情報保持ステップと、
前記記載欄情報保持ステップにより保持された記載欄情報により示される１個以上の項目別記載欄を表示し、当該記載欄情報により示されない項目別記載欄を表示しない記載欄表示ステップと
を実行させることを特徴とするデータ検索プログラム。
【発明の詳細な説明】
【０００１】
【発明の属する技術分野】
本発明は、特許情報の検索システム等のデータ検索装置に関し、特に、検索作業を効率化するための技術に関する。
【０００２】
【従来の技術】
特許情報の検索システム等のデータ検索装置では、一般に利用者が番号やキーワード等の検索条件を入力し、入力した番号に合致するデータや、入力したキーワードが含まれるデータを検索する。
ここで特許情報とは、特許、実用新案、意匠、商標のそれぞれに関する各種公報や文献、外国公報、審決公報、及び経過情報等の知的所有権に関する有用な情報を含むものとする。
【０００３】
例えば、特許情報の検索システムにおいては、特許、実用新案、意匠、商標といった四法区分を示す種別、ＩＰＣ、ＦＩ、Ｆターム、出願番号、公開番号、国際出願番号、国際公開番号、公表番号、公告番号、登録番号、優先権主張番号、関連出願番号、審判番号、出願日、公開日、登録日、発明者氏名、出願人氏名、各権利者氏名、発明の名称、キーワード等の数多くの検索条件の項目がある。
【０００４】
【発明が解決しようとする課題】
データ検索装置において、検索条件の項目数が数項程度と少ない場合は特に問題ないが、項目数が多くなるにつれて検索作業は煩雑になる。
例えば上記特許情報の検索システムにおいて、上記項目の全ての記載欄を検索の度に表示するとすれば、利用者は必要な記載欄を探すだけでも手間取り、また異なる記載欄に間違って記入する頻度も増えるものと思われる。
【０００５】
本発明は、検索条件の項目数が多くても、検索作業が煩雑とはならないデータ検索装置、データ検索方法、及び、データ検索プログラムを提供することを目的とする。
【０００６】
【課題を解決するための手段】
上記目的を達成するために、本発明に係るデータ検索装置は、利用者により設定される検索条件に基づいてデータベースに記録されたデータから所望のデータを検索するデータ検索装置であって、検索項目別に検索条件を記載させるための複数の項目別記載欄のうち検索の際に使用されるべき１個以上の項目別記載欄を示す記載欄情報を保持している記載欄情報保持手段と、前記記載欄情報保持手段により保持されている記載欄情報により示される１個以上の項目別記載欄を表示し当該記載欄情報により示されない項目別記載欄を表示しない記載欄表示手段とを備えることを特徴とする。
【０００７】
上記目的を達成するために、本発明に係るデータ検索方法は、利用者により設定される検索条件に基づいてデータベースに記録されたデータから所望のデータを検索するデータ検索方法であって、検索項目別に検索条件を記載させるための複数の項目別記載欄のうち検索の際に使用されるべき１個以上の項目別記載欄を示す記載欄情報を保持している記載欄情報保持ステップと、前記記載欄情報保持ステップにより保持された記載欄情報により示される１個以上の項目別記載欄を表示し当該記載欄情報により示されない項目別記載欄を表示しない記載欄表示ステップとを含むことを特徴とする。
【０００８】
上記目的を達成するために、本発明に係るデータ検索プログラムは、利用者により設定される検索条件に基づいてデータベースに記録されたデータから所望のデータを検索するデータ検索プログラムであって、コンピュータに、検索項目別に検索条件を記載させるための複数の項目別記載欄のうち検索の際に使用されるべき１個以上の項目別記載欄を示す記載欄情報を保持している記載欄情報保持ステップと、前記記載欄情報保持ステップにより保持された記載欄情報により示される１個以上の項目別記載欄を表示し当該記載欄情報により示されない項目別記載欄を表示しない記載欄表示ステップとを実行させることを特徴とする。
【０００９】
これによって、記載欄情報により示されない項目別記載欄を表示しないので、検索条件の項目数が多くても、検索作業が煩雑とはならない。
従って、検索作業を効率化することができる。
また、習熟度等の利用者の特性に応じた記載欄情報を保持することにより、利用者の特性に応じた項目別記載欄を表示することができる。例えば、初心者や稀にしか検索しない専門外の利用者に対しては、代表的な検索項目を厳選して比較的少ない数の項目別記載欄を表示し、専門家や頻繁に検索する利用者に対しては、より専門的な比較的多くの数の項目別記載欄を表示することができるので、利用者は自己の特性に適合した検索作業を迅速に開始することができる。
【００１０】
また、記載欄情報を保持しているので、利用者が以前に使用したものと同じ項目別記載欄を表示することができる。例えば、利用者が数ヶ月ぶりに検索作業を行うような場合においても、数ヶ月前に使用したものと同じ項目別記載欄を表示することができるので、稀にしか検索しない利用者であっても、さほど戸惑うことなく検索作業を開始することができる。
【００１１】
【発明の実施の形態】
＜概要＞
本発明の実施の形態に係る検索システムは、ユーザＩＤ毎や利用目的毎に、記載欄を表示させるべき検索項目を示す検索項目情報を保持し、利用者や利用目的に応じて記載欄を表示することにより、検索条件の項目数が多くても検索作業が煩雑とはならない特許情報の検索システムである。
【００１２】
＜構成＞
図１は、本発明の実施の形態の検索システムを含むネットワークの概略を示す図である。
図１に示すネットワークは、外付けハードディスク１、Ｗｅｂサーバ２、イントラネット３、利用者コンピュータ４、利用者コンピュータ５を含む。
【００１３】
外付けハードディスク１は、特許情報実体データや検索インデックス等の各種データを記録している。
Ｗｅｂサーバ２は、利用者コンピュータ４、又は、利用者コンピュータ５、の検索指示に基づいて、外付けハードディスク１に記録された特許情報実体データを検索して、検索指示元へ送信する。
【００１４】
イントラネット３は、特定企業内等の限られた利用者間を接続するローカルネットワークである。
利用者コンピュータ４、及び、利用者コンピュータ５は、利用者が用いるＷｅｂブラウザである。
図２は、本発明の実施の形態の検索システムの詳細な構成を示す図である。
【００１５】
図２に示す検索システムは、外付けハードディスク１０、Ｗｅｂサーバ２０、ネットワーク３０、Ｗｅｂブラウザ４０を含む。
外付けハードディスク１０は、不揮発性の記録媒体を備える記録装置であり、検索インデックス記録部１１、特許情報実体データ記録部１２、管理データ記録部１３を備える。
【００１６】
Ｗｅｂサーバ２０は、ユーザ認証部２１、利用目的設定部２２、検索項目取得部２３、記載欄表示指示部２４、検索項目記録部２５を備える。
ネットワーク３０は、イントラネット等であり、Ｗｅｂサーバ２０とＷｅｂブラウザ４０とを通信可能に接続する。
Ｗｅｂブラウザ４０は、ユーザＩＤ入力部４１、利用目的入力部４２、記載欄表示部４３、検索項目変更部４４、検索条件入力部４５、検索結果表示部４６を備える。
【００１７】
検索インデックス記録部１１は、検索インデックスを記録する。
図３〜図８は、検索インデックス記録部１１に記録された検索インデックスの例を示す図である。
図３は各検索インデックスを系統毎に分類した系統名の一覧である系統名テーブルの例を示す図である。
【００１８】
図３に示すように、各検索インデックスは、「Ａ（種別・分類系）」、「Ｂ（番号系）」、「Ｃ（日付系）」、「Ｄ（名称系）」、「Ｅ（文章系）」という５つの系統に分類されており、系統名テーブルにはこれら５つの系統名の文字列データが記録されている。
図４は、「Ａ（種別・分類系）」に分類された検索インデックスの一覧であるＡ（種別・分類系）系統テーブルの例を示す図である。
【００１９】
図４に示すように、「Ａ（種別・分類系）」には、「四法」、「ＩＰＣ」、「ＦＩ」、「Ｆターム」という検索インデックスが分類されており、Ａ（種別・分類系）系統テーブルにはこれらの検索インデックス名の文字列データが記録されている。
図５は、「Ｂ（番号系）」に分類された検索インデックスの一覧であるＢ（番号系）系統テーブルの例を示す図である。
【００２０】
図５に示すように、「Ｂ（番号系）」には、「出願番号」、「公開番号」、「国際出願番号」、「国際公開番号」、「公表番号」、「公告番号」、「登録番号」、「優先権主張番号」、「関連出願番号」、「審判番号」という検索インデックスが分類されており、Ｂ（番号系）系統テーブルにはこれらの検索インデックス名の文字列データが記録されている。
【００２１】
図６は、「Ｃ（日付系）」に分類された検索インデックスの一覧であるＣ（日付系）系統テーブルの例を示す図である。
図６に示すように、「Ｃ（日付系）」には、「出願日」、「公開日」、「国際出願日」、「国際公開日」、「公表日」、「再公表発行日」、「公報発行日」、「公告日」、「登録日」、「登録公報発行日」、「優先権主張出願日」という検索インデックスが分類されており、Ｃ（日付系）系統テーブルにはこれらの検索インデックス名の文字列データが記録されている。
【００２２】
図７は、「Ｄ（名称系）」に分類された検索インデックスの一覧であるＤ（名称系）系統テーブルの例を示す図である。
図７に示すように、「Ｄ（名称系）」には、「出願人／権利者」、「発明者」、「代理人」、「審査官」、「指定国」という検索インデックスが分類されており、Ｄ（名称系）系統テーブルにはこれらの検索インデックス名の文字列データが記録されている。
【００２３】
図８は、「Ｅ（文章系）」に分類された検索インデックスの一覧であるＥ（文章系）系統テーブルの例を示す図である。
図８に示すように、「Ｅ（文章系）」は、「発明の名称」、「発明の詳細な説明」、「請求の範囲」、「発明の属する技術分野」、「従来の技術」、「発明が解決しようとする課題」、「課題を解決するための手段」、「発明の実施の形態」、「発明の効果」「図面の簡単な説明」、「符号の説明」、「要約」、「要約＋請求の範囲」、「全文」という検索インデックスが分類されており、Ｅ（文章系）系統テーブルにはこれらの検索インデックス名の文字列データが記録されている。
【００２４】
特許情報実体データ記録部１２は、特許情報の実体データを記録する。
図９は、特許情報実体データ記録部１２に記録された特許公報の表示例を示す図である。
管理データ記録部１３は、各種の管理データを記録している。
管理データには、利用目的情報、及び検索項目情報が含まれる。
【００２５】
図１０は、管理データ記録部１３に記録された利用目的情報の例を示す図である。
図１０に示すように、利用目的情報は、「着想時」、「着想〜出願」、「出願〜審査・審判」、「査定以後」、「異議申立て時」、「優先権主張時」等の、特許に関する各種手続きに対応する各利用目的の文字列データが手続の順序に準じて記録されたものである。
【００２６】
ここで検索項目情報とは、ユーザＩＤ毎、及び、利用目的毎に存在し、検索項目別に検索条件を記載させるための複数の項目別記載欄のうち、使用すべき１個以上の項目別記載欄を示す。
図１１は、管理データ記録部１３に記録された検索項目情報の例を示す図である。
【００２７】
図１１に示すように、各検索項目情報は、ユーザＩＤ、利用目的、各系統記号、各表示可否フラグから構成される。ここでは、表示可否フラグ“１”は表示可を示し、表示可否フラグ“０”は表示否を示すものとする。例えば図１１に示す検索項目情報１０１は、ユーザＩＤ“０２０４１１１”、及び、利用目的“着想〜出願”の検索項目情報であり、Ａ（種別・分類系）系統の各表示可否フラグが“１１００”なので、「Ａ（種別・分類系）」の系統のうち、「四法」、「ＩＰＣ」の検索インデックスを表示し、「ＦＩ」、「Ｆターム」の検索インデックスを表示しないことを示し、また、Ｂ（番号系）系統の各表示可否フラグが“０１００００１０００”なので、「Ｂ（番号系）」の系統のうち、「公開番号」、「登録番号」の検索インデックスを表示し、「出願番号」、「国際出願番号」、「国際公開番号」、「公表番号」、「公告番号」、「優先権主張番号」、「関連出願番号」、「審判番号」の検索インデックスを表示しないことを示し、Ｃ（日付系）系統の各表示可否フラグが“０１０００００００００”なので、「Ｃ（日付系）」の系統のうち、「公開日」の検索インデックスを表示し、「出願日」、「公開日」、「国際出願日」、「国際公開日」、「公表日」、「再公表発行日」、「公報発行日」、「公告日」、「登録日」、「登録公報発行日」、「優先権主張出願日」の検索インデックスを表示しないことを示し、Ｄ（名称系）系統の各表示可否フラグが“１００００”なので、「Ｄ（名称系）」の系統のうち、「出願人／権利者」の検索インデックスを表示し、「発明者」、「代理人」、「審査官」、「指定国」の検索インデックスを表示しないことを示し、Ｅ（文章系）系統の各表示可否フラグが“１００００００００００００１”なので、「Ｅ（文章系）」の系統のうち、「発明の名称」、「全文」の検索インデックスを表示し、「発明の詳細な説明」、「請求の範囲」、「発明の属する技術分野」、「従来の技術」、「発明が解決しようとする課題」、「課題を解決するための手段」、「発明の実施の形態」、「発明の効果」「図面の簡単な説明」、「符号の説明」、「要約」、「要約＋請求の範囲」の検索インデックスを表示しないことを示す。
【００２８】
また、ここで管理データ記録部１３は、利用目的毎に、初めて使用する利用者用の検索項目情報を記録しているものとする。
また、上記以外の管理データについては、本発明の特徴ではないので説明を省略する。
ユーザ認証部２１は、ユーザＩＤ入力部４１からユーザＩＤを受信してユーザの認証を行い、正しいと認証した場合はユーザＩＤを検索項目取得部２３に渡し、正しいと認証しなかった場合はその旨を返信する。
【００２９】
利用目的設定部２２は、利用目的入力部４２から利用目的を受信して検索項目取得部２３に渡す。
検索項目取得部２３は、ユーザ認証部２１からユーザＩＤ、利用目的設定部２２から利用目的を受け取り、このユーザＩＤと利用目的とに応じた検索項目情報を管理データ記録部１３から取得する。
【００３０】
記載欄表示指示部２４は、検索項目取得部２３により取得された検索項目情報に従って、検索インデックス記録部１１に記録された検索インデックスを用いて、検索の際に使用されるべき１個以上の項目別記載欄の検索インデックスの文字列データである記載欄文字列データを生成してＷｅｂブラウザ４０へ送信し、記載欄の表示を指示する。
【００３１】
検索項目記録部２５は、検索項目変更部４４より検索項目の変更の指示を受信して、管理データ記録部１３に記録する。
特許情報検索部２６は、検索条件入力部４５から検索条件を受信して、検索条件に合致した特許公報を特許情報実体データ記録部１２から検索して検索結果をＷｅｂブラウザ４０に送信する。
【００３２】
ユーザＩＤ入力部４１は、利用者からユーザＩＤの入力を受付け、Ｗｅｂサーバ２０に送信し、正規のユーザと認証されなかった旨の返信を受けた場合はその旨を利用者に表示し、正規のユーザと認証された旨の返信を受けた場合は利用目的入力部４２の動作を促す。
図１２は、正規のユーザと認証された場合に、Ｗｅｂブラウザ４０のモニターに表示される画面の一例を示す図である。
【００３３】
利用目的入力部４２は、利用目的の一覧を、特許に関する各種手続の順序に準じて表示して利用者にその選択を促し、利用者から利用目的の選択を受けると、選択された利用目的をＷｅｂサーバ２０に送信する。例えば、図１２に示すように、利用目的入力部４２は、利用目的一覧２０１を表示する。
記載欄表示部４３は、記載欄文字列データを受信してそれぞれの記載欄を表示して利用者に記入を促す。例えば、図１２に示すように、記載欄表示部４３は、記載欄２０２を表示する。
【００３４】
検索項目変更部４４は、検索インデックスの一覧を記載欄の脇に表示して検索項目の変更を促し、利用者から検索項目の変更の指示を受付けると、Ｗｅｂサーバ２０に送信し、これに応じてすぐさま記載欄表示部４３に記載欄の変更を指示する。
検索項目変更部４４は、系統名表示部４４１、系統名受付け部４４２、検索項目表示部４４３、検索項目受付け部４４４、及び更新部４４５を含む。
【００３５】
図１３は、検索項目変更部４４の詳細な構成を示す図である。
系統名表示部４４１は、系統名の一覧を表示する。例えば、図１２に示すように、系統名表示部４４１は、系統名一覧２０３を表示する。
系統名受付け部４４２は、系統名表示部４４１により表示された系統名の一覧の中から、利用者による所望の系統名の選択を受付ける。
【００３６】
図１４は、利用者により「Ａ（種別・分類系）」という系統名が選択された場合に、Ｗｅｂブラウザ４０のモニターに表示される画面の一例を示す図である。
また図１５は、利用者により「Ｂ（番号系）」という系統名が選択された場合に、Ｗｅｂブラウザ４０のモニターに表示される画面の一例を示す図である。
検索項目表示部４４３は、系統名受付け部４４２において利用者による選択を受付けた時に、選択された系統名に分類された検索項目の一覧を表示する。例えば、図１４に示すように、検索項目表示部４４３は「Ａ（種別・分類系）」の検索項目一覧３０１を表示する。また例えば、図１５に示すように、検索項目表示部４４３は「Ｂ（番号系）」の検索項目一覧４０１を表示する。
【００３７】
検索項目受付け部４４４は、検索項目表示部４４３により表示された検索項目の一覧の中から、利用者による所望の検索項目の選択を受付ける。例えば、図１４に示すように、利用者により「Ａ（種別・分類系）」の検索項目一覧３０１の中の「四法」のチェック欄にチェックマークがつけられた場合には、遅滞なくすぐさま「四法」の記載欄が追加され、「ＩＰＣ」のチェック欄にチェックマークがつけられた場合には、遅滞なくすぐさま「ＩＰＣ」の記載欄が追加される。また例えば、図１５に示すように、利用者により「Ｂ（番号系）」の検索項目一覧４０１の中の「公開番号」のチェック欄にチェックマークがつけられた場合には、遅滞なくすぐさま「公開番号」の記載欄が追加され、「登録番号」のチェック欄にチェックマークがつけられた場合には、遅滞なくすぐさま「登録番号」の記載欄が追加される。
【００３８】
更新部４４５は、記検索項目受付け部４４４において利用者による選択を受付け「選択項目保存」の指示がなされた場合には、当該選択に基づいて、管理データ記録部１３に記憶されている検索項目情報を更新する。
検索条件入力部４５は、利用者からの検索条件の入力を受付け、受付けた検索条件をＷｅｂサーバ２０に送信する。
【００３９】
検索結果表示部４６は、特許情報検索部２６から検索結果を受信して利用者に表示する。
図１６は、利用者が一旦検索作業を終了した後、数ヶ月ぶりに検索作業を開始した際に、Ｗｅｂブラウザ４０のモニターに最初に表示される画面の一例を示す図である。
【００４０】
図１６に示す画面は、前回の検索作業の際に、利用者により「四法」、「ＩＰＣ」、「公開番号」、「登録番号」の選択がなされ、「選択項目保存」の指示がなされることにより管理データ記録部１３に検索項目情報が登録され、この検索項目情報に基づいて表示されるものであり、この検索項目情報が変らずに保持され続けている間に検索作業を開始する際には、利用者が前回の検索作業の際に使用したものと同じ項目別記載欄が表示される。
【００４１】
＜動作＞
図１７は、本発明の実施の形態の検索システムにおいて、特許公報を検索する動作の手順を示す図である。
以下に、図１７を用いて特許公報を検索する動作の手順を説明する。
（１）Ｗｅｂブラウザ４０において、ユーザＩＤ入力部４１が利用者にユーザＩＤの入力を促し、利用者がユーザＩＤを入力すると、ユーザＩＤ入力部４１が当該ユーザＩＤをＷｅｂサーバ２０に送信する（ステップＳ１）。
【００４２】
（２）Ｗｅｂサーバ２０において、ユーザ認証部２１がユーザＩＤを受信し、ユーザの認証を行う（ステップＳ２）。
（３）正規のユーザであると認証されなかった場合には、ユーザ認証部２１がその旨を返信し、Ｗｅｂブラウザ４０がその旨を利用者に表示する（ステップＳ３）。
【００４３】
（４）正規のユーザであると認証された場合には、ユーザ認証部２１がユーザＩＤを検索項目取得部２３に渡し、その旨を返信し、Ｗｅｂブラウザ４０において、利用目的入力部４２が利用目的の一覧を、特許に関する各種手続の順序に準じて表示して利用者にその選択を促し、利用者が利用目的を選択すると、利用目的入力部４２が選択された利用目的をＷｅｂサーバ２０に送信する（ステップＳ４）。
【００４４】
（５）Ｗｅｂサーバ２０において、利用目的設定部２２が利用目的を受信して検索項目取得部２３に渡す（ステップＳ５）。
（６）検索項目取得部２３が、渡されたユーザＩＤと利用目的とに応じた検索項目情報を、管理データ記録部１３から取得する（ステップＳ６）。ここで、対応する検索項目情報が記録されていない場合には、利用目的に応じた初心者用の検索項目情報を取得する。
【００４５】
（７）記載欄表示指示部２４が、検索項目取得部２３により取得された検索項目情報に従って、検索インデックス記録部１１に記録された検索インデックスを用いて、記載欄文字列データを生成してＷｅｂブラウザ４０へ送信し、記載欄の表示を指示する（ステップＳ７）。
（８）Ｗｅｂブラウザ４０において、記載欄表示部４３が記載欄文字列データを受信してそれぞれの記載欄を表示して利用者に記入を促し、また検索項目変更部４４が検索インデックスの一覧を記載欄の脇に表示して検索項目の変更を促す（ステップＳ８）。
【００４６】
（９）ここで利用者が、検索項目を変更したいと欲する場合には、検索項目変更部４４が利用者からの検索項目の変更の指示を受付ける（ステップＳ９）。
（１０）利用者から検索項目の変更の指示が受付けられた場合には、検索項目変更部４４がこれをＷｅｂサーバ２０に送信し、また、これに応じてすぐさま記載欄表示部４３が記載欄を変更する（ステップＳ１０）。
【００４７】
（１１）Ｗｅｂサーバ２０において、検索項目記録部２５が検索項目の変更の指示を受信して、管理データ記録部１３に記録する（ステップＳ１１）。
（１２）利用者が検索項目をこれ以上変更せずに検索を開始したいと欲する場合には、検索条件入力部４５が利用者からの検索条件の入力を受付ける（ステップＳ１２）。
【００４８】
（１３）利用者から検索条件の入力が受付けられた場合には、検索条件入力部４５が、受付けた検索条件をＷｅｂサーバ２０に送信する（ステップＳ１３）。
（１４）Ｗｅｂサーバ２０において、特許情報検索部２６が検索条件を受信して、検索条件に合致した特許公報を特許情報実体データ記録部１２から検索して検索結果をＷｅｂブラウザ４０に送信する（ステップＳ１４）。
【００４９】
（１５）Ｗｅｂブラウザ４０において、検索結果表示部４６が検索結果を受信して表示する（ステップＳ１５）。
以上のように、本発明の実施の形態によれば、利用者及び利用目的に応じて記載欄を表示することができるので、検索条件の項目数が多くても、検索作業が煩雑とはならない。
【００５０】
なお、本発明の実施の形態では、利用者及び利用目的に応じて記載欄を表示するが、Ｗｅｂブラウザ４０毎であってもよいし、利用者毎であってもよいし、利用目的毎であってもよい。
また、本発明の実施の形態では、特許情報の検索システムを例にとって説明したが、特許情報に限らず何の検索システムであってもよい。
【００５１】
また、本発明の実施の形態では、外付けハードディスク１０が検索項目情報とインデックスとを記録し、これらに基づいてＷｅｂサーバ２０が記載欄文字列データを生成してＷｅｂブラウザ４０へ送信することによってＷｅｂブラウザ４０に記載欄を表示させるが、外付けハードディスク１０に記録する情報は、表示すべき記載欄を特定できる情報であれば何であってもよい。例えば外付けハードディスク１０が記載欄文字列データそのものを記録し、Ｗｅｂサーバ２０がそのまま記載欄文字列データをＷｅｂブラウザ４０へ送信してもよい。
【００５２】
また、コンピュータに本実施の形態のような動作を実行させることができるプログラムがコンピュータ読み取り可能な記録媒体に記録され、この記録媒体が流通し取り引きの対象となりうる。また、当該プログラムは、例えばネットワーク等を介して流通し、取り引きの対象となりうる。
ここでコンピュータ読み取り可能な記録媒体とは、例えば、フレキシブルディスク、ＣＤ、ＭＯ、ＤＶＤ、メモリカード等の着脱可能な記録媒体、及び、ハードディスク、半導体メモリ等の固定記録媒体等であり、特に限定されるものではない。
【００５３】
【発明の効果】
本発明に係るデータ検索装置は、利用者により設定される検索条件に基づいてデータベースに記録されたデータから所望のデータを検索するデータ検索装置であって、検索項目別に検索条件を記載させるための複数の項目別記載欄のうち検索の際に使用されるべき１個以上の項目別記載欄を示す記載欄情報を保持している記載欄情報保持手段と、前記記載欄情報保持手段により保持されている記載欄情報により示される１個以上の項目別記載欄を表示し当該記載欄情報により示されない項目別記載欄を表示しない記載欄表示手段とを備えることを特徴とする。
【００５４】
本発明に係るデータ検索方法は、利用者により設定される検索条件に基づいてデータベースに記録されたデータから所望のデータを検索するデータ検索方法であって、検索項目別に検索条件を記載させるための複数の項目別記載欄のうち検索の際に使用されるべき１個以上の項目別記載欄を示す記載欄情報を保持している記載欄情報保持ステップと、前記記載欄情報保持ステップにより保持された記載欄情報により示される１個以上の項目別記載欄を表示し当該記載欄情報により示されない項目別記載欄を表示しない記載欄表示ステップとを含むことを特徴とする。
【００５５】
本発明に係るデータ検索プログラムは、利用者により設定される検索条件に基づいてデータベースに記録されたデータから所望のデータを検索するデータ検索プログラムであって、コンピュータに、検索項目別に検索条件を記載させるための複数の項目別記載欄のうち検索の際に使用されるべき１個以上の項目別記載欄を示す記載欄情報を保持している記載欄情報保持ステップと、前記記載欄情報保持ステップにより保持された記載欄情報により示される１個以上の項目別記載欄を表示し当該記載欄情報により示されない項目別記載欄を表示しない記載欄表示ステップとを実行させることを特徴とする。
【００５６】
これによって、記載欄情報により示されない項目別記載欄を表示しないので、検索条件の項目数が多くても、検索作業が煩雑とはならない。
従って、検索作業を効率化することができる。
また、習熟度等の利用者の特性に応じた記載欄情報を保持することにより、利用者の特性に応じた項目別記載欄を表示することができる。例えば、初心者や稀にしか検索しない専門外の利用者に対しては、代表的な検索項目を厳選して比較的少ない数の項目別記載欄を表示し、専門家や頻繁に検索する利用者に対しては、より専門的な比較的多くの数の項目別記載欄を表示することができるので、利用者は自己の特性に適合した検索作業を迅速に開始することができる。
【００５７】
また、記載欄情報を保持しているので、利用者が以前に使用したものと同じ項目別記載欄を表示することができる。例えば、利用者が数ヶ月ぶりに検索作業を行うような場合においても、数ヶ月前に使用したものと同じ項目別記載欄を表示することができるので、稀にしか検索しない利用者であっても、さほど戸惑うことなく検索作業を開始することができる。
【００５８】
また、データ検索装置は、さらに、利用者による所望の検索項目の指定を受付ける検索項目受付け手段と、前記検索項目受付け手段により受付けられた検索項目を記載するために使用されるべき項目別記載欄を示す記載欄情報を前記記載欄情報保持手段に登録する登録手段とを備えることを特徴とすることもできる。
これによって、利用者から検索項目の指定を受付けて、記載欄情報を登録することができるので、利用者が自己の特性に適合した項目別記載欄を、自由に設定することができる。
【００５９】
また、データ検索装置において、前記記載欄情報保持手段は、不揮発性の記録媒体であり、前記記載欄表示手段は、前記登録手段により前記記載欄情報保持手段に前記記載欄情報が登録された以後であって当該記載欄情報が変らずに保持され続けている間に前記利用者により検索がなされる際には当該記載欄情報により示される項目別記載欄を表示し当該記載欄情報により示されない項目別記載欄を表示しないことを特徴とすることもできる。
【００６０】
これによって、記載欄情報が不揮発性の記録媒体に保持されるので、半永久的に記載欄情報が保持され、この記載欄情報に基づいて、半永久的に以前に使用したものと同じ項目別記載欄を表示することができ、検索作業を効率化することができる。
また、データ検索装置は、さらに、検索項目の一覧を表示する検索項目表示手段と、前記検索項目表示手段により表示された検索項目の一覧の中から利用者による所望の検索項目の選択を受付ける検索項目受付け手段と、前記検索項目受付け手段において利用者による選択を受付けた時には当該選択に基づいて前記記載欄情報保持手段により保持されている記載欄情報を更新する更新手段とを備えることを特徴とすることもできる。
【００６１】
これによって、利用者から検索項目の選択を受付けて、記載欄情報を更新することができるので、利用者が自己の特性に適合した項目別記載欄を、自由に設定したり変更することができる。
また、データ検索装置において、前記記載欄表示手段は、前記検索項目受付け手段において利用者による選択を受付けた時には遅滞なく表示を更新することを特徴とすることもできる。
【００６２】
これによって、利用者から検索項目の選択を受付けた場合に遅滞なく表示を更新するので、作業性がよい。
また、データ検索装置は、さらに、検索項目を系統毎に分類した系統名の一覧を表示する系統名表示手段と、前記系統名表示手段により表示された系統名の一覧の中から利用者による所望の系統名の選択を受付ける系統名受付け手段と、前記系統名受付け手段において利用者による選択を受付けた時には当該選択された系統名に分類された検索項目の一覧を表示する検索項目表示手段と、前記検索項目表示手段により表示された検索項目の一覧の中から利用者による所望の検索項目の選択を受付ける検索項目受付け手段と、前記検索項目受付け手段において利用者による選択を受付けた時には当該選択に基づいて前記記載欄情報保持手段により保持されている記載欄情報を更新する更新手段とを備えることを特徴とすることもできる。
【００６３】
これによって、記載欄情報を更新する際に、まず系統名を選択し、選択した系統名に分類された検索項目の選択を受付けて、記載欄情報を更新することができるので、検索項目数が多くても、更新作業が煩雑とはならない。
また、データ検索装置において、前記記載欄表示手段は、前記検索項目受付け手段において利用者による選択を受付けた時には遅滞なく表示を更新することを特徴とすることもできる。
【００６４】
これによって、利用者から検索項目の選択を受付けた場合に遅滞なく表示を更新するので、作業性がよい。
また、データ検索装置において、前記記載欄情報保持手段は、利用者ＩＤ毎に記載欄情報を保持し、当該データ検索装置は、さらに、検索を始める前に利用者から利用者ＩＤの入力を受付けるＩＤ受付け手段を備え、前記記載欄表示手段は、前記ＩＤ受付け手段により受付けられた利用者ＩＤに対応する記載欄情報により示される項目別記載欄を表示することを特徴とすることもできる。
【００６５】
これによって、利用者毎に項目別記載欄を表示することができるので、利用者毎に各利用者の特性に応じた項目別記載欄を表示することができる。
また、利用者毎に記載欄情報を保持しているので、利用者毎に各利用者が以前に使用したものと同じ項目別記載欄を表示することができる。
また、データ検索装置において、前記記載欄情報保持手段は、利用目的毎に記載欄情報を保持し、当該データ検索装置は、さらに、検索を始める前に利用者から利用目的の入力を受付ける利用目的受付け手段を備え、前記記載欄表示手段は、前記利用目的受付け手段により受付けられた利用目的に対応する記載欄情報により示される項目別記載欄を表示することを特徴とすることもできる。
【００６６】
これによって、利用目的毎に項目別記載欄を表示することができるので、利用目的毎に各利用目的に応じた項目別記載欄を表示することができる。
また、利用目的毎に記載欄情報を保持しているので、各利用目的で以前に使用したものと同じ項目別記載欄を表示することができる。
また、データ検索装置において、当該データ検索装置は特許公報を検索するものであり、前記利用目的には特許に関する各種手続きに対応するものが含まれ、前記利用目的受付け手段は、前記利用目的の入力を受付けるに際して当該利用目的の一覧を前記各種手続の順序に準じて表示する利用目的表示手段と、前記利用目的表示手段により表示された利用目的の一覧の中から利用者による所望の利用目的の選択を受付ける利用目的受付け手段を含むことを特徴とすることもできる。
【００６７】
これによって、利用目的の一覧を前記各種手続の順序に準じて表示し、利用者からの選択を受付けるので、作業性がよい。
また、データ検索装置において、前記記載欄情報保持手段は、利用者ＩＤ毎且つ利用目的毎に記載欄情報を保持し、当該データ検索装置は、さらに、検索を始める前に利用者から利用者ＩＤ及び利用目的の入力を受付ける利用目的ＩＤ受付け手段を備え、前記記載欄表示手段は、前記利用目的ＩＤ受付け手段により受付けられた利用者ＩＤ及び利用目的に対応する記載欄情報により示される項目別記載欄を表示することを特徴とすることもできる。
【００６８】
これによって、利用者及び利用目的毎に項目別記載欄を表示することができるので、利用者毎及び利用目的毎に各利用者の特性及び各利用目的に応じた項目別記載欄を表示することができる。
また、利用者毎及び利用目的毎に記載欄情報を保持しているので、利用者毎に各利用者が各利用目的で以前に使用したものと同じ項目別記載欄を表示することができる。
【００６９】
また、データ検索装置において、当該データ検索装置は特許公報を検索するものであり、前記利用目的には特許に関する各種手続きに対応するものが含まれ、前記利用目的ＩＤ受付け手段は、前記利用目的の入力を受付けるに際して当該利用目的の一覧を前記各種手続の順序に準じて表示する利用目的表示手段と、前記利用目的表示手段により表示された利用目的の一覧の中から利用者による所望の利用目的の選択を受付ける利用目的受付け手段を含むことを特徴とすることもできる。
【００７０】
これによって、利用目的の一覧を前記各種手続の順序に準じて表示し、利用者からの選択を受付けるので、作業性がよい。
【図面の簡単な説明】
【図１】本発明の実施の形態の検索システムを含むネットワークの概略を示す図である。
【図２】本発明の実施の形態の検索システムの詳細な構成を示す図である。
【図３】各検索インデックスを系統毎に分類した系統名の一覧である系統名テーブルの例を示す図である。
【図４】「Ａ（種別・分類系）」に分類された検索インデックスの一覧であるＡ（種別・分類系）系統テーブルの例を示す図である。
【図５】「Ｂ（番号系）」に分類された検索インデックスの一覧であるＢ（番号系）系統テーブルの例を示す図である。
【図６】「Ｃ（日付系）」に分類された検索インデックスの一覧であるＣ（日付系）系統テーブルの例を示す図である。
【図７】「Ｄ（名称系）」に分類された検索インデックスの一覧であるＤ（名称系）系統テーブルの例を示す図である。
【図８】「Ｅ（文章系）」に分類された検索インデックスの一覧であるＥ（文章系）系統テーブルの例を示す図である。
【図９】特許情報実体データ記録部１２に記録された特許公報の表示例を示す図である。
【図１０】管理データ記録部１３に記録された利用目的情報の例を示す図である。
【図１１】管理データ記録部１３に記録された検索項目情報の例を示す図である。
【図１２】正規のユーザと認証された場合に、Ｗｅｂブラウザ４０のモニターに表示される画面の一例を示す図である。
【図１３】検索項目変更部４４の詳細な構成を示す図である。
【図１４】利用者により「Ａ（種別・分類系）」という系統名が選択された場合に、Ｗｅｂブラウザ４０のモニターに表示される画面の一例を示す図である。
【図１５】利用者により「Ｂ（番号系）」という系統名が選択された場合に、Ｗｅｂブラウザ４０のモニターに表示される画面の一例を示す図である。
【図１６】図１６は、利用者が一旦検索作業を終了した後、数ヶ月ぶりに検索作業を開始した際に、Ｗｅｂブラウザ４０のモニターに最初に表示される画面の一例を示す図である。
【図１７】本発明の実施の形態の検索システムにおいて、特許公報を検索する動作の手順を示す図である。
【符号の説明】
１　　外付けハードディスク
２　　Ｗｅｂサーバ
３　　イントラネット
４　　利用者コンピュータ
５　　利用者コンピュータ
１０　　外付けハードディスク
１１　　検索インデックス記録部
１２　　特許情報実体データ記録部
１３　　管理データ記録部
２０　　Ｗｅｂサーバ
２１　　ユーザ認証部
２２　　利用目的設定部
２３　　検索項目取得部
２４　　記載欄表示指示部
２５　　検索項目記録部
３０　　ネットワーク
４０　　Ｗｅｂブラウザ
４１　　ユーザＩＤ入力部
４２　　利用目的入力部
４３　　記載欄表示部
４４　　検索項目変更部
４５　　検索条件入力部
４６　　検索結果表示部
４４１　　系統名表示部
４４２　　系統名受付け部
４４３　　検索項目表示部
４４４　　検索項目受付け部
４４５　　更新部
【図１】
2004046296.tif 000003
【図２】
2004046296.tif 000004
【図３】
2004046296.tif 000005
【図４】
2004046296.tif 000006
【図５】
2004046296.tif 000007
【図６】
2004046296.tif 000008
【図７】
2004046296.tif 000009
【図８】
2004046296.tif 000010
【図９】
2004046296.tif 000011
【図１０】
2004046296.tif 000012
【図１１】
2004046296.tif 000013
【図１２】
2004046296.tif 000014
【図１３】
2004046296.tif 000015
【図１４】
2004046296.tif 000016
【図１５】
2004046296.tif 000017
【図１６】
2004046296.tif 000018
【図１７】
2004046296.tif 000019